(57)【要約】【課題】ベルトを備えたインソールにおいて、その機能性を向上させる。【解決手段】インソール構造体１は、インソール本体２と、これに固着された補強プレート３と、インソール本体２の左右両側方に配設され、着用者の足の足甲回りに緊締可能なベルト部材４とから構成されている。補強プレート３は、インソール本体２の裏面側においてインソール本体２の中足部Ｂに配置されるベース部３０と、これと一体に形成されるとともに、インソール本体２の左右両側方に張り出す内甲側張出部３１および外甲側張出部３２とを有している。補強プレート３のベース部３０の前端面は、足の拇趾球部ＴＥおよび子趾球部ＨＥをそれぞれ迂回しつつ延びる第１、第２の凹面状部３Ａ，３Ｂと、これらを連結しつつ第２趾中足趾節関節ＭＪ２  および第３趾中足趾節関節ＭＪ３  の中間付近の下方位置まで山形状に延びる第１の凸面状部３Ｃとから形成されている。【選択図】    図３
2004254803.tif 000002
【特許請求の範囲】
【請求項１】
インソール構造体であって、
着用者の足の踵部から土踏まず部をへて爪先部まで延設されるインソール本体と、
前記インソール本体の裏面側において前記インソール本体の少なくとも中足部に配置されるベース部と、前記ベース部と一体に形成されかつ前記インソール本体の左右両側方に張り出す内甲側張出部および外甲側張出部とから構成された補強プレートと、
前記補強プレートの左右両側方に配設されるとともに、着用者の足の足甲回りに緊締可能なベルト部材とを備え、
前記補強プレートの前記ベース部の前端面が、
着用者の足の拇趾球部および子趾球部をそれぞれ迂回しつつ延びる第１および第２の凹面状部と、
前記第１および第２の凹面状部を連結しつつ着用者の足指の第２趾中足趾節関節および第３趾中足趾節関節の中間付近の下方位置まで山形状に延びる第１の凸面状部とから形成されている、
ことを特徴とするインソール構造体。
【請求項２】
請求項１において、
前記補強プレートの前記ベース部が前記インソール本体の踵部まで延設されている、
ことを特徴とするインソール構造体。
【請求項３】
請求項１において、
前記第１の凸面状部を含む山形状部分が前記ベース部の厚み方向に隆起している、
ことを特徴とするインソール構造体。
【請求項４】
請求項１において、
前記補強プレートの前記ベース部の前端面が、前記第２の凹面状部および前記外甲側張出部を連結しつつ着用者の足指の第５趾中足趾節関節の下方位置まで山形状に延びる第２の凸面状部をさらに有している、
ことを特徴とするインソール構造体。
【請求項５】
請求項１において、
前記補強プレートの前記前端面における前記第１の凹面状部と前記内甲側張出部との連結部分が前記補強プレートの厚み方向に隆起している、
ことを特徴とするインソール構造体。
【請求項６】
請求項１において、
前記補強プレートの前記ベース部の中足部における外甲側領域を内甲側領域よりも硬くした、
ことを特徴とするインソール構造体。
【請求項７】
請求項１において、
前記補強プレートの中足部の後側部分および踵部の前側部分において前記ベース部の内甲側領域および前記内甲側張出部が前記補強プレートの厚み方向に隆起している、
ことを特徴とするインソール構造体。
【請求項８】
請求項１において、
前記補強プレートの中足部の後側部分および踵部の前側部分において前記ベース部の外甲側領域および前記外甲側張出部が前記補強プレートの厚み方向に隆起している、
ことを特徴とするインソール構造体。
【請求項９】
請求項１において、
前記補強プレートの前記ベース部には、前記インソール本体が嵌合する凹部が形成されている、
ことを特徴とするインソール構造体。
【請求項１０】
請求項１または２において、
前記ベルト部材が、前記インソール本体の内甲側に配設された内甲側ベルトと、前記インソール本体の外甲側に配設された外甲側ベルトとから構成されており、前記内甲側および外甲側ベルトが前記補強プレートの前記ベース部に取り付けられている、
ことを特徴とするインソール構造体。
【請求項１１】
請求項１０において、
前記内甲側ベルトおよび前記外甲側ベルトが、いずれも前記補強プレートの前記ベース部の中足部に取り付けられている、
ことを特徴とするインソール構造体。
【請求項１２】
請求項１０において、
前記内甲側ベルトおよび前記外甲側ベルトが、いずれも前記補強プレートの前記ベース部の踵部に取り付けられている、
ことを特徴とするインソール構造体。
【請求項１３】
請求項１２において、
前記外甲側ベルトが前記ベース部の前記踵部の後側部分に取り付けられており、前記内甲側ベルトが前記ベース部の前記踵部において前記外甲側ベルトの取付位置よりも前側に取り付けられている、
ことを特徴とするインソール構造体。
【請求項１４】
請求項１０において、
前記内甲側ベルトが、前記補強プレートの前記ベース部の中足部に取り付けられており、前記外甲側ベルトが、前記補強プレートの前記ベース部の踵部に取り付けられている、
ことを特徴とするインソール構造体。
【発明の詳細な説明】
【０００１】
【発明の属する技術分野】
本発明は、機能性を向上させたインソール構造体に関する。
【０００２】
【従来の技術およびその課題】
シューズのインソール（中敷）として、特開平９−５６４１２号公報に示すようなベルト付のものが提案されている。このベルト付インソールは、着用者の足の踵部から爪先部まで延びるインソール本体と、インソール本体の土踏まず部の両側に延びる一対の締付用ベルトとから構成されている。
【０００３】
この場合には、各ベルトを締結することにより、各ベルトがインソール本体の土踏まず部を着用者の足の土踏まずの側に締め上げる。これにより、足がシューズ内で遊ぶことなく、シューズを足にフィットさせることができるようになっている。
【０００４】
【特許文献１】
特開平９−５６４１２号公報（段落番号［００１４］〜［００２０］参照）
【０００５】
また、実開昭６３−５７９０２号公報に示すようなインナーベルト付シューズが提案されている。このインナーベルトは、幅広の中央部と、その両側方に延びかつ中央部と一体に形成された帯状の一対のベルト部とから構成されている。
【０００６】
この場合には、インナーベルトの中央部をインソールと中底の間に挿入するとともに、各ベルト部の先端を締結することにより、各ベルト部がインナーベルトの中央部を着用者の足の土踏まずの側に締め上げる。これにより、シューズを足にフィットさせることができるようになっている。
【０００７】
【特許文献２】
実開昭６３−５７９０２号公報（第５頁第１３行〜第６頁第５行および第７頁参照）
【０００８】
しかしながら、上記各公報記載のものにおいては、インソール本体またはインソールの中足部に配置される、ベルトまたはインナーベルトの中央部が単純な平面形状を有しており、いずれも着用者の足の土踏まず部を単に上方に持ち上げようとしているだけのものである。
【０００９】
本発明は、このような従来の実情に鑑みてなされたもので、ベルトを備えたインソールにおいて、その機能性を向上させることを目的とする。
【００１０】
【課題を解決するための手段】
請求項１の発明に係るインソール構造体は、インソール本体と、インソール本体の下方に配置されたベース部および内外甲側張出部を有する補強プレートと、補強プレートの左右両側方に配設され、着用者の足の足甲回りに緊締可能なベルト部材とを備えている。そして、補強プレートのベース部の前端面が、着用者の足の拇趾球部および子趾球部をそれぞれ迂回しつつ延びる第１および第２の凹面状部と、第１および第２の凹面状部を連結しつつ着用者の足指の第２趾中足趾節関節および第３趾中足趾節関節の中間付近の下方位置まで山形状に延びる第１の凸面状部とから形成されている。
【００１１】
請求項１の発明においては、ベルト部材を緊締することにより、ベルト部材が補強プレートを介してインソール本体の少なくとも中足部を着用者の足の土踏まずの側に締め上げる。これにより、シューズを足にフィットさせることができる。
【００１２】
さらに、この場合には、補強プレートのベース部の前端面に、足指の第２趾中足趾節関節および第３趾中足趾節関節の中間付近の下方位置まで、すなわち第２趾中足骨骨頭および第３趾中足骨骨頭の中間付近の位置まで山形状に延びる第１の凸面状部を設けたので、この第１の凸面状部により、足の横アーチ部分を支持することができ、これにより、足の疲労による横アーチの落ち込みを防止できる。このように請求項１の発明によれば、機能性が向上したインソール構造体を提供できる。
【００１３】
補強プレートのベース部は、請求項２の発明に記載されているように、インソール本体の踵部まで延設されていてもよい。この場合には、足裏の支持面積が増えることによって、足裏全体をより安定して支持できるようになる。
【００１４】
請求項３の発明では、補強プレートの前端面において第１の凸面状部を含む山形状部分がベース部の厚み方向に隆起している。
【００１５】
この場合には、着用者の足指の第２〜４趾中足趾節関節近傍が持ち上げられることにより、モートン病の患者に好適のシューズを実現できる。モートン病は、典型的には、足のアーチが崩れて落ちてきたときなどに、とくに第３趾および第４趾（または第２趾および第３趾）の各中足骨間で神経が圧迫されることによる障害である。請求項３の発明によれば、第１の凸面状部により第２〜４趾中足骨骨頭が上方に押し上げられるので、趾神経への圧迫を軽減できる。
【００１６】
請求項４の発明では、補強プレートのベース部の前端面が、第２の凹面状部および外甲側張出部を連結しつつ着用者の足指の第５趾中足趾節関節の下方位置まで山形状に延びる第２の凸面状部をさらに有している。この場合には、足指の第５趾を下方および側方から安定して支持することができる。
【００１７】
請求項５の発明では、補強プレートの前端面における第１の凹面状部と内甲側張出部との連結部分が補強プレートの厚み方向に隆起している。
【００１８】
この場合には、着用者の足指の第１趾中足趾節関節近傍が持ち上げられることによって、外反拇趾の患者に好適のシューズを実現できる。一般に、外反拇趾は、第１趾すなわち拇趾の内転筋と外転筋のバランスが崩れて、第１趾が第５趾の方に曲がる障害であり、足の横アーチが落ちて中足趾節関節部分の幅が拡がる開張足の傾向の足が多い。この外反拇趾の足は、拇趾球部に疼痛を伴う場合がしばしば見受けられ、歩行時において前足部の離地時に拇趾に痛みが発生する。請求項５の発明では、補強プレートの前端面において第１の凹面状部と内甲側張出部との連結部分が隆起しているので、拇趾に過度の力を入れることなく、拇趾以外の第２趾から第５趾で接地面を効果的に蹴ることができるようになる。
【００１９】
請求項６の発明では、補強プレートのベース部の中足部における外甲側領域が内甲領域よりも硬くなっている。
【００２０】
この場合には、ジョーンズ骨折の患者に好適のシューズを実現できる。一般に、ジョーンズ骨折は、中足骨（典型的には第５中足骨）に負担がかかりすぎることが原因で生じる疲労骨折である。請求項６の発明によれば、補強プレートのベース部の中足部における外甲側領域が硬くなっているので、とくに第５中足骨を下方から効果的に支持することができる。
【００２１】
請求項７の発明では、補強プレートの中足部の後側部分および踵部の前側部分においてベース部の内甲側領域および内甲側張出部、とくに踵骨載距突起に相当する部分を含む領域が補強プレートの厚み方向に隆起している。
【００２２】
この場合には、ベース部の内甲側領域および内甲側張出部の隆起部が着地時に足の回内を防止するので、後足部過回内（つまりオーバープロネーション）タイプのランナーに好適のシューズを実現できる。
【００２３】
請求項８の発明では、補強プレートの中足部の後側部分および踵部の前側部分においてベース部の外甲側領域および外甲側張出部が補強プレートの厚み方向に隆起している。
【００２４】
この場合には、ベース部の外甲側領域および外甲側張出部の隆起部が着地時に足の回外を防止するので、後足部過回外（つまりオーバーサピネーション）タイプのランナーに好適のシューズを実現できる。
【００２５】
補強プレートのベース部には、請求項９の発明に記載されているように、インソール本体が嵌合する凹部が形成されているのが好ましい。
【００２６】
この場合には、インソール本体を補強プレートのベース部の適切な位置に位置決めしつつ、インソール本体をベース部に確実に保持させることができる。
【００２７】
請求項１０の発明によれば、ベルト部材が、インソール本体の内甲側に配設された内甲側ベルトと、インソール本体の外甲側に配設された外甲側ベルトとから構成されており、内甲側および外甲側ベルトが補強プレートのベース部に取り付けられている。内甲側および外甲側ベルトは、面ファスナを介してベース部に係脱自在に取り付けられていてもよく、またはベース部に固着されていてもよい。
【００２８】
請求項１１の発明では、内甲側ベルトおよび外甲側ベルトが、いずれも補強プレートのベース部の中足部に取り付けられている。この場合には、足のアーチを直接上方に持ち上げることができるので、足の疲労による横アーチの落ち込みをより効果的に防止でき、とくにウォーキングシューズに好適のインソール構造体を提供できる。なお、この場合、内甲側ベルトは、舟状骨の粗面を覆う位置を通って足甲回りに巻回されているのが好ましい。
【００２９】
請求項１２の発明では、内甲側ベルトおよび外甲側ベルトが、いずれも補強プレートのベース部の踵部に取り付けられている。この場合には、内甲側および外甲側ベルトが踵骨の載距突起を通って足甲側に配設されることにより、踵骨を包み込むように各ベルトが配置されることになるので、内甲側ベルトによって足の過回内を、また外甲側ベルトによって足の過回外をそれぞれより効果的に防止できるようになり、足の踵部の支持を強化できる。
【００３０】
請求項１３の発明では、外甲側ベルトがベース部の踵部の後側部分に取り付けられるとともに、内甲側ベルトがベース部の踵部において外甲側ベルトの取付位置よりも前側に取り付けられている。
【００３１】
この場合、着地時には、まず、外甲側ベルトにより、足の過回外を防止できる。また、このとき、内甲側ベルトが外甲側ベルトの取付位置よりも前側に配置されているので、着地時に踵骨の回内作用が誘起され、これにより、足全体の柔軟性が向上する。その結果、足への衝撃が緩和される。
【００３２】
次に、荷重が前側に移動したときには、内甲側ベルトによって足裏が持ち上げられることになり、これにより、足裏の柔軟性が抑制されて、接地面からの離地時に十分なキック力を発揮できるようになる。
【００３３】
このようにして、請求項１３の発明によれば、足の捻挫を予防できるので、とくに横方向の動きが多いサッカーやバスケットボールなどのスポーツに好適のシューズを実現できる。
【００３４】
請求項１４の発明では、内甲側ベルトが補強プレートのベース部の中足部に取り付けられるとともに、外甲側ベルトが補強プレートのベース部の踵部に取り付けられている。
【００３５】
この場合、着地時には、まず、外甲側ベルトにより、足の過回外を防止できる。次に、荷重が前側に移動したとき、内甲側ベルトによって拇趾球部の後側部分が上方に持ち上げられることによって、第１趾に作用する力を軽減でき、第５趾側に力を入れやすくなる。このようにして、外反拇趾の人に好適のシューズを実現できる。
【００３６】
【発明の実施の形態】
以下、本発明の実施態様を添付図面に基づいて説明する。
図１ないし図１９は、本発明によるインソール構造体を説明するための図であって、図１はインソール構造体の表面図、図２はその内甲側側面図、図３はインソール構造体の第１の実施態様を示す表面図、図４は図３のＩＶ−ＩＶ  線断面図、図５はインソール構造体の第２の実施態様を示す表面図、図６は図５のＶＩ−ＶＩ  線断面図、図７はインソール構造体の第３の実施態様を示す表面図、図８は図７のＶＩＩＩ−ＶＩＩＩ  線断面図、図９はインソール構造体の第４の実施態様を示す表面図、図１０は図９のＸ−Ｘ  線断面図、図１１はインソール構造体の第５の実施態様を示す表面図、図１２はその内甲側側面図、図１３はインソール構造体の第６の実施態様を示す表面図、図１４はインソール構造体の第７の実施態様を示す表面図、図１５は図１４のＸＶ−ＸＶ  線断面図、図１６は図１のインソール構造体を足の骨格図とともに示す図、図１７はインソール構造体の第８の実施態様を示す表面図、図１８はインソール構造体の第９の実施態様を示す表面図、図１９はインソール構造体の第１０の実施態様を示す表面図である。なお、各図中、同一符号は同一または相当部分を示している。また、図３ないし図１０、ならびに図１３および図１４では、ベルト部材が省略されたものが示されている。
【００３７】
〔インソール構造体の全体構造の説明〕
図１および図２に示すように、このインソール構造体１は、着用者の足の踵部、土踏まず部および前足部にそれぞれ対応する踵部Ａ、中足部Ｂおよび前足部Ｃを有するインソール本体２と、インソール本体２の底面側に配置された補強プレート３と、補強プレート３の底面側から左右両側方に延設され、着用者の足の足甲回りに緊締可能なベルト部材４とから主として構成されている。
【００３８】
インソール本体２を構成する材料としては、通気性重視の観点からは、たとえばフェルトや不織布のような吸湿性を有する部材が用いられる。また、足当たり感重視の観点からは、合成樹脂の発泡体が用いられ、さらに、衝撃吸収性重視の観点からは、ソルボセインやゲルを含む素材が用いられる。一方、補強プレート３を構成する材料としては、たとえば、エチレン−酢酸ビニル共重合体（ＥＶＡ）等の熱可塑性合成樹脂やポリウレタン（ＰＵ）等の熱硬化性樹脂、またはこれらの樹脂の発泡体、あるいはブタジエンラバーやクロロプレンラバー等のラバー素材またはその発泡体が用いられる。さらに、ラバーまたはエラストマー等のような軟質弾性部材から構成するようにしてもよい。
【００３９】
補強プレート３は、インソール本体２の中足部Ｂを含む領域に配置されたベース部３０と、ベース部３０と一体に形成され、インソール本体２の内甲側および外甲側にそれぞれ張り出す内甲側張出部３１および外甲側張出部３２とから構成されている。ベース部３０には、インソール本体２が嵌合する凹部３０ａが形成されている。内甲側張出部３１および外甲側張出部３２は、いずれも斜め上方に立ち上がりつつ延びている。ベース部３０は、インソール本体２に対して、接着、加熱圧着またはインサート成形などによって固着されているか、または、面ファスナーなどによって着脱自在に取り付けられている。
【００４０】
補強プレート３のベース部３０の前端面は、着用者の足の拇趾球部ＴＥおよび子趾球部ＨＥをそれぞれ迂回しつつ延びる第１および第２の凹面状部３Ａ，３Ｂを有している。ここで、解剖学上、拇趾球部ＴＥとは、図１６に示すように、第１趾中足骨ＭＢ１  の中足趾節関節ＭＪ１  付近の種子骨を含む部分を指している。同様に、子趾球部ＨＥとは、同図に示すように、第５趾中足骨ＭＢ５  の中足趾節関節ＭＪ５  付近を指している。なお、図１６中、添字は各足指を示しており、ＰＰは各足指の基節骨、ＭＢは中足骨、ＭＪは中足趾節関節、ＮＢは舟状骨、ＣＣは踵骨をそれぞれ示している。
【００４１】
補強プレート３のベース部３０の前端面は、さらに、第１および第２の凹面状部３Ａ，３Ｂを連結しつつ着用者の足指の第２趾中足趾節関節ＭＪ２  および第３趾中足趾節関節ＭＪ３  （図１６参照）の中間付近の下方位置近辺まで、すなわち第２趾中足骨ＭＢ２  骨頭および第３趾中足骨ＭＢ３  骨頭の中間付近まで山形状に延びる第１の凸面状部３Ｃを有している。また、補強プレート３のベース部３０の前端面は、第２の凹面状部３Ｂおよび外甲側張出部３２を連結しつつ着用者の足指の第５趾中足趾節関節ＭＪ５  の下方位置、すなわち第５趾中足骨ＭＢ５  の骨頭付近まで山形状に延びる第２の凸面状部３Ｄをさらに有している。
【００４２】
ベルト部材４は、インソール本体２の中足部Ｂにおいて内甲側および外甲側にそれぞれ配設された内甲側ベルト４１および外甲側ベルト４２から構成されている。内甲側および外甲側ベルト４１，４２は、補強プレート３のベース部３０の底面に係止されている。この係止方法としては、固着の他、面ファスナによる係脱自在な取付けであってもよい。ベルト部材４および（または）補強プレート３をインソール本体２に対して着脱自在にすることにより、着用者の個体差（足の動きや足の状態）に応じたパーソナル対応のインソール構造体を簡単に実現できる。内甲側および外甲側ベルト４１，４２の先端には、貫通孔４１ａ，４２ａがそれぞれ形成されている。これらの貫通孔には、図示しないシューズの靴紐が挿通されることにより、各ベルト４１，４２が緊締されるようになっている。
【００４３】
なお、各ベルト４１，４２は、面ファスナにより、またはＤ環（Ｄ字状のリング）と面ファスナの組合せにより、あるいはその他の周知の係脱手段により、互いに係脱自在に設けられていてもよい。
【００４４】
また、ベルト部材４を構成する材料としては、天然皮革や人工皮革の他、織物、不織布、樹脂成形品などが用いられる。
【００４５】
この場合には、各ベルト４１，４２を緊締することにより、各ベルト４１，４２が補強プレート３を介してインソール本体２の中央部Ｂを着用者の足の土踏まずの側に締め上げる。これにより、シューズを足にフィットさせることができる。
【００４６】
また、この場合には、補強プレート３のベース部３０の前端面に、足指の第２趾中足趾節関節ＭＪ２  および第３趾中足趾節関節ＭＪ３  の中間付近の下方位置まで山形状に延びる第１の凸面状部３Ｃが設けられており、この第１の凸面状部３Ｃにより、足の横アーチ部分を直接上方に持ち上げることができるので、足の疲労による横アーチの落ち込みをより効果的に防止できる。このようにして、機能性が向上したインソール構造体を提供できる。この場合には、とくにウォーキングシューズに好適のインソール構造体が提供される。なお、内甲側ベルト４１は、舟状骨ＮＢ（図１６参照）の粗面を覆う位置を通って足甲回りに巻回されているのが好ましい。
【００４７】
さらに、補強プレート３のベース部３０の前端面には、足指の第５趾中足趾節関節ＭＪ５  の下方位置まで山形状に延びる第２の凸面状部３Ｄが設けられているので、この第２の凸面状部３Ｄにより、足指の第５趾を下方および側方から安定して支持することもできる。
【００４８】
〔第１の実施態様〕
図３および図４に示すように、この第１の実施態様では、補強プレート３のベース部３０において第１の凸面状部３Ｃを含む山形状部分（図３斜線部分）が、厚み方向において裏面側（底面側）に隆起する隆起部３３を有している。
【００４９】
この場合には、第１の凸面状部３Ｃの隆起部３３によって、着用者の足指の第２〜４趾中足趾節関節ＭＪ２  〜ＭＪ４  近傍が上方に持ち上げられることにより、モートン病の患者に好適のシューズを実現できる。モートン病は、典型的には、足の横アーチがなくなって扁平足になったときなどに、とくに第３趾および第４趾（または第２趾および第３趾）の各中足骨間で神経が圧迫されることによる障害である。この第１の実施態様では、第２〜４趾中足骨ＭＢ２  〜ＭＢ４  の各骨頭が上方に押し上げられるので、趾神経への圧迫を軽減できる。
【００５０】
〔第２の実施態様〕
図５および図６に示すように、この第２の実施態様では、補強プレート３のベース部３０において第１凹面状部３Ａと内甲側張出部３１との連結部分（図５斜線部分）が、厚み方向において裏面側に隆起する隆起部３４を有している。
【００５１】
この場合には、着用者の足指の第１趾中足趾節関節ＭＪ１  近傍が上方に持ち上げられることにより、外反拇趾の患者に好適のシューズを実現できる。一般に、外反拇趾は、第１趾すなわち拇趾の内転筋と外転筋のバランスが崩れて、第１趾が第５趾の方に曲がる障害であり、足の横アーチが落ちて中足趾節関節部分の幅が拡がる開張足の傾向の足が多い。この外反拇趾の足は、拇趾球部に疼痛を伴う場合がしばしば見受けられ、歩行時において前足部の離地時に拇趾に痛みが発生する。この第２の実施態様では、拇趾球部が上方に持ち上げられるので、拇趾に過度の力を入れることなく、拇趾以外の第２趾から第５趾で接地面を効果的に蹴ることができるようになる。
【００５２】
〔第３の実施態様〕
図７および図８に示す第３の実施態様においては、補強プレート３のベース部３０の主に中足部Ｂの外甲側領域（図７斜線部分）において、凹部３０ａ内に硬質プレート３５が配置されている。これにより、中足部Ｂの外甲側領域の硬度が内甲側領域の硬度よりも高くなっている。
【００５３】
この場合には、ジョーンズ骨折の患者に好適のシューズを実現できる。一般に、ジョーンズ骨折は、中足骨（典型的には第５中足骨ＭＢ５  ）に負担がかかりすぎることが原因で生じる疲労骨折である。第３の実施態様によれば、補強プレート３のベース部３０の中足部Ｂにおいて外甲側領域が硬くなっているので、第５中足骨ＭＢ５  を下方から効果的に支持することができる。
【００５４】
〔第４の実施態様〕
図９および図１０に示すように、この第４の実施態様では、補強プレート３の中足部Ｂ後端部から踵部Ａ前端部にかけてのベース部３０の内甲側領域および内甲側張出部３１（図９斜線部分）が、厚み方向において裏面側に隆起する隆起部３６を有している。
【００５５】
この場合には、ベース部３０の内甲側領域および内甲側張出部３１における隆起部３６により、着地後の荷重移動時に足の回内が防止されるので、後足部過回内（つまりオーバープロネーション）タイプのランナーに好適のシューズを実現できる。
【００５６】
〔第５の実施態様〕
図１１および図１２に示すように、この第５の実施態様では、補強プレート３′がインソール本体２の踵部Ａまで延設されている点が、前記第１ないし第４の実施態様における補強プレート３と大きく異なっている。このため、補強プレート３′の内甲側張出部３１′および外甲側張出部３２′は、踵部Ａの後端で互いに連結されている。すなわち、ベース部３０′は、その内甲側から踵後端を通って外甲側に配設された張出部により、その周囲を囲繞されている。
【００５７】
また、この第５の実施態様では、図１１に示されるように、ベルト部材４′が補強プレート３の中足部Ｂの底面を通って左右側方に延びる一本のベルトから構成されており、その内甲側ベルト部４１′の先端には貫通孔４１′ａが形成され、同様に外甲側ベルト部４２′の先端には貫通孔４２′ａが形成されている。
【００５８】
この場合には、図１および図２の実施態様の場合と同様に、ベルト部材４の各ベルト部４１′，４２′を緊締することにより、各ベルト部４１′，４２′が補強プレート３を介してインソール本体２の少なくとも中央部Ｂを着用者の足の土踏まずの側に締め上げる。これにより、シューズを足にフィットさせることができる。
【００５９】
しかも、補強プレート３′のベース部３０′の前端面に、足指の第２趾中足趾節関節ＭＪ２  および第３趾中足趾節関節ＭＪ３  の中間付近の下方位置近辺まで山形状に延びる第１の凸面状部３Ｃが設けられていることにより、足の疲労による横アーチの落ち込みを防止できる。これにより、機能性が向上したインソール構造体を提供できる。
【００６０】
また、補強プレート３′のベース部３０′の前端面に、足指の第５趾中足趾節関節ＭＪ５  の下方位置付近まで山形状に延びる第２の凸面状部３Ｄを設けられていることにより、足指の第５趾を下方および側方から安定して支持することができる。さらに、足裏の支持面積が増えることによって、足裏全体をより安定して支持できるようになる。
【００６１】
〔第６の実施態様〕
図１３に示すように、この第６の実施態様では、補強プレート３′の中足部Ｂ後端部から踵部Ａ前端部にかけてのベース部３０′の内甲側領域および内甲側張出部３１′（図１３斜線部分）が、厚み方向において裏面側に隆起する隆起部３６′を有している。この隆起部３６′は、図９の隆起部３６と同様のものである。
【００６２】
したがって、この場合には、図９に示す第４の実施態様の場合と同様に、ベース部３０′の内甲側領域および内甲側張出部３１′における隆起部３６′により、着地後の荷重移動時に足の回内が防止されるので、後足部過回内（つまりオーバープロネーション）タイプのランナーに好適のシューズを実現できる。
【００６３】
〔第７の実施態様〕
図１４および図１５に示すように、この第７の実施態様では、補強プレート３′の中足部Ｂ後端部から踵部Ａ前端部にかけてのベース部３０′の外甲側領域および外甲側張出部３２′（図１４斜線部分）が、厚み方向において裏面側に隆起する隆起部３７を有している。
【００６４】
この場合には、ベース部３０′の外甲側領域および外甲側張出部３２′における隆起部３７により、着地後の荷重移動時に足の回外が防止されるので、後足部過回外（つまりオーバーサピネーション）タイプのランナーに好適のシューズを実現できる。
【００６５】
〔第８の実施態様〕
図１７に示す第８の実施態様では、ベルト部材４″を構成する内甲側ベルト４１″および外甲側ベルト４２″がいずれも補強プレート３′の踵部Ａに設けられている。
【００６６】
この場合には、内甲側および外甲側ベルト４１″，４２″が踵骨ＣＣ（図１６参照）の載距突起を通って足甲側に配設されることにより、踵骨ＣＣを包み込むように各ベルト４１″，４２″が配置されることになるので、内甲側ベルト４１″によって足の過回内を、また外甲側ベルト４２″によって足の過回外をそれぞれより効果的に防止できるようになり、足の踵部の支持を強化できる。
【００６７】
〔第９の実施態様〕
図１８に示す第９の実施態様では、ベルト部材４″を構成する外甲側ベルト４２″がインソール本体２の踵部Ａの後側に取り付けられており、内甲側ベルト４１″がインソール本体２の踵部Ａにおいて外甲側ベルト４２″の取付位置よりも前側に取り付けられている。すなわち、各ベルト４１″，４２″の取付位置が踵部Ａにおいて前後方向にオフセットされている。
【００６８】
この場合、着地時には、まず、外甲側ベルト４２″により、足の過回外が防止される。また、このとき、内甲側ベルト４１″が外甲側ベルト４２″の取付位置よりも前側に配置されていることにより、着地時に踵骨ＣＣ（図１６）の回内作用が誘起され、これにより、足全体の柔軟性が向上する。その結果、足への衝撃が緩和される。
【００６９】
次に、荷重が前側に移動したときには、内甲側ベルト４１″によって足裏が持ち上げられることになり、これにより、足裏の柔軟性が抑制されて、接地面からの離地時に十分なキック力を発揮できるようになる。
【００７０】
このようにして、足の捻挫を予防できるようになるので、とくに横方向の動きが多いサッカーやバスケットボールなどのスポーツに好適のシューズを実現できる。
【００７１】
〔第１０の実施態様〕
図１９に示す第１０の実施態様では、ベルト部材４″を構成する外甲側ベルト４２″がインソール本体２の踵部Ａに取り付けられており、内甲側ベルト４１″がインソール本体２の中足部Ｂに取り付けられている。
【００７２】
この場合、着地時には、まず、外甲側ベルト４２″により、足の過回外が防止される。次に、荷重が前側に移動したとき、内甲側ベルト４１″により拇趾球部ＴＥ（図１６）の後側部分が上方に持ち上げられることによって、第１足指に作用する力を軽減できるとともに、第５足指側に力を入れやすくなる。これにより、外反拇趾の人に好適のシューズを実現できる。
【００７３】
【発明の効果】
以上のように本発明によれば、補強プレートのベース部の前端面に、足指の第２趾中足趾節関節および第３趾中足趾節関節の中間付近の下方位置まで山形状に延びる第１の凸面状部を設けたので、この第１の凸面状部により、足の横アーチ部分を支持することができ、これにより、足の疲労による横アーチの落ち込みを防止できる。このようにして、機能性が向上したインソール構造体を提供できる効果がある。
【図面の簡単な説明】
【図１】本発明によるインソール構造体の表面図である。
【図２】インソール構造体（図１）の内甲側側面図である。
【図３】インソール構造体の第１の実施態様を示す表面図である。
【図４】図３のＩＶ−ＩＶ  線断面図である。
【図５】インソール構造体の第２の実施態様を示す表面図である。
【図６】図５のＶＩ−ＶＩ  線断面図である。
【図７】インソール構造体の第３の実施態様を示す表面図である。
【図８】図７のＶＩＩＩ−ＶＩＩＩ  線断面図である。
【図９】インソール構造体の第４の実施態様を示す表面図である。
【図１０】図９のＸ−Ｘ  線断面図である。
【図１１】インソール構造体の第５の実施態様を示す表面図である。
【図１２】図１１の内甲側側面図である。
【図１３】インソール構造体の第６の実施態様を示す表面図である。
【図１４】インソール構造体の第７の実施態様を示す表面図である。
【図１５】図１４のＸＶ−ＸＶ  線断面図である。
【図１６】図１のインソール構造体を足の骨格図とともに示す図である。
【図１７】インソール構造体の第８の実施態様を示す表面図である。
【図１８】インソール構造体の第９の実施態様を示す表面図である。
【図１９】インソール構造体の第１０の実施態様を示す表面図である。
【符号の説明】
１：  インソール構造体
２：  インソール本体
３：  補強プレート
３Ａ：  第１の凹面状部
３Ｂ：  第２の凹面状部
３Ｃ：  第１の凸面状部
３Ｄ：  第２の凸面状部
３０：  ベース部
３０ａ：  凹部
３１：  内甲側張出部
３２：  外甲側張出部
３３：  隆起部
３４：  隆起部
４：  ベルト部材
４１：  内甲側ベルト
４２：  外甲側ベルト
Ａ：  踵部
Ｂ：  中足部
Ｃ：  前足部
ＴＥ：  拇趾球部
ＨＥ：  子趾球部
【図１】
2004254803.tif 000003
【図２】
2004254803.tif 000004
【図３】
2004254803.tif 000005
【図４】
2004254803.tif 000006
【図５】
2004254803.tif 000007
【図６】
2004254803.tif 000008
【図７】
2004254803.tif 000009
【図８】
2004254803.tif 000010
【図９】
2004254803.tif 000011
【図１０】
2004254803.tif 000012
【図１１】
2004254803.tif 000013
【図１２】
2004254803.tif 000014
【図１３】
2004254803.tif 000015
【図１４】
2004254803.tif 000016
【図１５】
2004254803.tif 000017
【図１６】
2004254803.tif 000018
【図１７】
2004254803.tif 000019
【図１８】
2004254803.tif 000020
【図１９】
2004254803.tif 000021